(57)【要約】【課題】監視情報の表示に関する使い勝手の向上を図る。【解決手段】処理部10は、データ蓄積部12に蓄積される計測値データを含む監視情報を、監視端末２に搭載されるウェブブラウザで表示可能なマークアップ言語により記述したファイルとして作成する。さらに、処理部10は、ファイルを添付した電子メールをデータ通信部13から監視端末２へ送信させる。ファイル(添付ファイル)は、ウェブブラウザに計測値データをグラフ化して表示させる手順と、ウェブブラウザに監視情報の表示内容の変更を受け付けさせる手順とを含んでいる。故に、監視情報の内容を監視端末を操作して変更できるため、監視情報の表示に関する使い勝手の向上を図ることができる。【選択図】        図１
2015022569.tif 000002
【特許請求の範囲】
【請求項１】
電力量や温度、湿度などの物理量を計測するセンサ部と、前記センサ部が計測した前記物理量の計測値をディジタルデータからなる計測値データに変換して処理する処理部と、前記計測値データを蓄積するデータ蓄積部と、通信媒体を介して監視端末とデータ通信するデータ通信部とを備え、
前記処理部は、前記データ蓄積部に蓄積される前記計測値データを含む監視情報を、前記監視端末に搭載されるウェブブラウザで表示可能なマークアップ言語により記述したファイルとして作成し、前記ファイルを添付した電子メールを前記データ通信部から前記監視端末へ送信させるように構成され、
前記ファイルは、前記ウェブブラウザに前記計測値データをグラフ化して表示させる手順と、前記ウェブブラウザに前記監視情報の表示内容の変更を受け付けさせる手順とを含むことを特徴とする計測装置。
【請求項２】
前記処理部は、前記電子メールを複数の前記監視端末に送信する際、前記ウェブブラウザに前記計測値データをグラフ化して表示させる手順を複数の前記監視端末毎に変更するように構成されることを特徴とする請求項１記載の計測装置。
【請求項３】
前記処理部は、前記計測値データが正常範囲であるときと、前記計測値データが前記正常範囲外であるときとで、前記ウェブブラウザに前記計測値データをグラフ化して表示させる手順を変更するように構成されることを特徴とする請求項１又は２記載の計測装置。
【請求項４】
請求項１〜３の何れかの計測装置と、前記監視端末とを有することを特徴とする計測システム。
【発明の詳細な説明】
【技術分野】
【０００１】
本発明は、電力量や温度、湿度などの物理量を計測する計測装置と、その計測装置を含む計測システムに関する。
【背景技術】
【０００２】
従来例として、発電所や機械設備などのプラントを遠隔から監視・診断するプラント監視診断装置を例示する(特許文献１参照)。特許文献１記載の従来例は、プラントに設置されたセンサの出力(センサ値)を収集し、収集したセンサ値の管理やセンサ値に基づくアクチュエータ(プラントに設置されるアクチュエータ)の制御等を行う制御コントローラを備える。
【０００３】
また、制御コントローラは、センサ値のデータやアクチュエータの制御データなどに基づき、例えば、横軸を時間、縦軸をプロセス値(センサ値など)としたトレンドグラフを画像化したプラント監視画像を生成する。そして、制御コントローラは、生成したプラント監視画像を電子メールに添付して、遠隔の監視拠点に送信する。
【０００４】
制御コントローラから送信される電子メールは、監視拠点に設けられたオペレーションステーションで受信される。オペレーションステーションは、電子メールに添付されている画像(プラント監視画像)をモニタに表示する。したがって、監視拠点に居るオペレータは、オペレーションステーションのモニタに表示されたプラント監視画像によって、プラントの状態を監視することができる。
【先行技術文献】
【特許文献】
【０００５】
【特許文献１】特開２００３−３４５４２５号公報
【発明の概要】
【発明が解決しようとする課題】
【０００６】
ところで、プラント監視画像の内容、例えば、トレンドグラフの表示時間やセンサ値のレンジなどをオペレータが変更したいと考えた場合、オペレータから制御コントローラを操作する別のオペレータに依頼する必要があった。つまり、監視情報(プラント監視画像)の内容を監視拠点のオペレーションステーションで変更することができないために監視情報の分析作業等に手間がかかるという問題があった。
【０００７】
本発明は、上記課題に鑑みて為されたものであり、監視情報の表示に関する使い勝手の向上を図ることを目的とする。
【課題を解決するための手段】
【０００８】
本発明の計測装置は、電力量や温度、湿度などの物理量を計測するセンサ部と、前記センサ部が計測した前記物理量の計測値をディジタルデータからなる計測値データに変換して処理する処理部と、前記計測値データを蓄積するデータ蓄積部と、通信媒体を介して監視端末とデータ通信するデータ通信部とを備え、前記処理部は、前記データ蓄積部に蓄積される前記計測値データを含む監視情報を、前記監視端末に搭載されるウェブブラウザで表示可能なマークアップ言語により記述したファイルとして作成し、前記ファイルを添付した電子メールを前記データ通信部から前記監視端末へ送信させるように構成され、前記ファイルは、前記ウェブブラウザに前記計測値データをグラフ化して表示させる手順と、前記ウェブブラウザに前記監視情報の表示内容の変更を受け付けさせる手順とを含むことを特徴とする。
【０００９】
この計測装置において、前記処理部は、前記電子メールを複数の前記監視端末に送信する際、前記ウェブブラウザに前記計測値データをグラフ化して表示させる手順を複数の前記監視端末毎に変更するように構成されることが好ましい。
【００１０】
この計測装置において、前記処理部は、前記計測値データが正常範囲であるときと、前記計測値データが前記正常範囲外であるときとで、前記ウェブブラウザに前記計測値データをグラフ化して表示させる手順を変更するように構成されることが好ましい。
【００１１】
本発明の計測システムは、前記何れかの計測装置と、前記監視端末とを有することを特徴とする。
【発明の効果】
【００１２】
本発明の計測装置及び計測システムは、監視情報の内容を監視端末を操作して変更できるため、監視情報の表示に関する使い勝手の向上を図ることができるという効果がある。
【図面の簡単な説明】
【００１３】
【図１】本発明に係る計測装置及び計測システムの実施形態を示すブロック図及びシステム構成図である。
【図２】同上における監視端末のウェブブラウザが表示する監視情報の画面を示す平面図である。
【図３】(ａ)〜(ｃ)は、同上における監視端末のウェブブラウザが表示する監視情報の画面を示す平面図である。
【図４】同上における計測装置の処理部の動作を説明するためのフローチャートである。
【発明を実施するための形態】
【００１４】
以下、本発明に係る計測装置及び計測システムの実施形態について、図面を参照して詳細に説明する。
【００１５】
本実施形態の計測システムは、図１に示すように計測装置１と監視端末２とで構成される。ただし、図１では計測装置１及び監視端末２を各々１台ずつしか図示していないが、計測装置１及び監視端末２の少なくとも何れか一方が複数台あっても構わない。
【００１６】
監視端末２は、液晶ディスプレイなどの表示デバイス、メタル線あるいは電波を通信媒体とするネットワークインタフェース、ウェブブラウザが実行可能なオペレーティングシステムを実装したＣＰＵなどを備えたパーソナルコンピュータやスマートフォンからなる。ただし、このような監視端末２は従来周知であるから、詳細な構成の図示並びに説明は省略する。
【００１７】
計測装置１は、処理部10、２つのセンサ部11、データ蓄積部12、データ通信部13などを備える。センサ部11は、電力量や温度、湿度などの物理量を計測し、計測値をアナログの電気信号(例えば、電圧信号)として処理部10に出力する。なお、２つのセンサ部11は、同一の物理量を計測するものでもよいし、それぞれが異なる物理量(例えば、電力量と温度など)を計測するものでもよい。また、センサ部11は２つに限定されるものではなく、１つあるいは３つ以上であっても構わない。ただし、このような物理量を計測するセンサ部11は従来周知であるから、詳細な構成の図示並びに説明は省略する。
【００１８】
処理部10は、マイクロコンピュータを主構成要素とし、センサ部11から受け取るアナログの電気信号をディジタルの計測値データに変換し、変換した計測値データをデータ蓄積部12に蓄積させる。データ蓄積部12は、電気的に書換可能な不揮発性の半導体メモリ(フラッシュメモリなど)からなり、処理部10が変換した計測値データを蓄積(記憶)する。ただし、２つのセンサ部11がそれぞれ電圧と電流を各別に計測し、電圧及び電流の計測値から処理部10が瞬時電力や積算電力量などを演算する構成としても構わない。
【００１９】
データ通信部13は、メタル線あるいは電波を通信媒体とし、監視端末２との間でデータ通信を行うように構成される。なお、本実施形態の計測システムでは、計測装置１と監視端末２がネットワーク３に接続されており、ネットワーク３を通じてデータ通信が行われる。このようなネットワーク３としては、インターネット、あるいは電気通信事業者(例えば、携帯電話事業者)が保有するデータ通信用ネットワークなどが利用可能である。
【００２０】
以下、住宅や事務所、工場、公共施設、商業施設などで使用される電力量をセンサ部11で計測し、電力需要家(住宅の住人や事務所の使用者など)あるいは管理者(電力会社)が保有する監視端末２で電力量を監視する場合を例示して、本実施形態の動作を説明する。
【００２１】
計測装置１の処理部10は、データ蓄積部12に蓄積されている計測値データから所定期間、例えば、前日又は前日を含む過去の１週間、若しくは前日を含む過去の１ヶ月間の１日毎の電力量の総和を演算する。そして、処理部10は、その演算結果を棒グラフなどのグラフで表示(グラフ化)してウェブブラウザに表示させるためのファイル(監視情報ファイル)を生成し、生成した監視情報ファイルを電子メールに添付して監視端末２に送信する。なお、処理部10は、予め決められたスケジュール、あるいは監視端末２からデータ通信によるコマンドの受取りなどのイベントが生じたときに監視情報ファイルの生成と送信を実行する。
【００２２】
図２は、監視情報ファイルをウェブブラウザで表示デバイスに表示させたときの画面20を示している。画面20の中央に、上述した演算結果のグラフ21が表示され、グラフ21の周囲に複数の操作釦22〜28が表示される。なお、監視端末２がパーソナルコンピュータの場合、マウスカーソルを操作釦22〜28の位置に合わせてマウスをクリックすることにより、操作釦22〜28に対応した操作入力がウェブブラウザに受け付けられる。また、監視端末２がスマートフォンの場合、画面20上の操作釦22〜28に触れる(タップする)ことにより、表示デバイスに設けられているタッチパネルを介して、操作釦22〜28に対応した操作入力がウェブブラウザに受け付けられる。
【００２３】
グラフ21の左側に縦に並べて表示される２つの操作釦22，23は、縦軸のレンジ(電力量のレンジ)を変更するための操作入力を受け付けるものである。つまり、上側の操作釦22が操作されると、縦軸のレンジを拡げる方向に変更するための操作入力が受け付けられ、下側の操作釦23が操作されると、縦軸のレンジを縮める方向に変更するための操作入力が受け付けられる。
【００２４】
また、グラフ21の下側に横に並べて表示される２つの操作釦24，25は、横軸のレンジ(時間のレンジ)を変更するための操作入力を受け付けるものである。つまり、左側の操作釦24が操作されると、横軸のレンジを縮める方向に変更するための操作入力が受け付けられ、右側の操作釦25が操作されると、横軸のレンジを拡げる方向に変更するための操作入力が受け付けられる。
【００２５】
さらに、グラフ21の右側に縦に並べて表示される３つの操作釦26〜28は、グラフの種類を変更するための操作入力を受け付けるものである。つまり、最上位の操作釦26が操作されると、１日(例えば、前日)の電力量の推移を１時間毎に示したグラフを選択するための操作入力が受け付けられる。また、中央の操作釦27が操作されると、過去１週間の電力量の推移を１日毎に示したグラフを選択するための操作入力が受け付けられる。さらに、最下位の操作釦28が操作されると、過去１ヶ月間の電力量の推移を１日毎(又は１週間毎)に示したグラフを選択するための操作入力が受け付けられる。
【００２６】
ウェブブラウザは、受け付けた操作入力の内容を示すデータ(操作入力データ)を電子メールの本文にテキストデータとして記述し、当該電子メールを計測装置１に返信する。
【００２７】
計測装置１では、監視端末２から返信される電子メールをデータ通信部13で受信し、受信した電子メールが処理部10に渡される。処理部10は、監視端末２から送られてきた電子メールの本文に記述されている操作入力データを取得し、取得した操作入力データに応じた処理を行う。例えば、取得した操作入力データがグラフ21の横軸のレンジを拡げる方向に変更するものであった場合、処理部10は、横軸のレンジを拡げたグラフを表示させるための監視情報ファイルを生成し、電子メールに添付して監視端末２に返信する。
【００２８】
監視端末２では、計測装置１から返信される電子メールに添付されている監視情報ファイルをウェブブラウザで開くことにより、変更されたグラフ21が表示デバイスの画面20に表示される。なお、他の種類の操作入力データが監視端末２から計測装置１に返信された場合も同様の手順で処理される。
【００２９】
ここで、一般的な電子メールは、送信元及び送信先の各メールアドレスや件名などが記述されたヘッダ部(ヘッダフィールド)と、ボディ部とで構成される。さらに、ボディ部は、テキストデータからなる本文と、添付ファイルとを含む。ただし、添付ファイルがテキストデータ以外のバイナリデータで構成されている場合はテキストデータにエンコードされる。なお、このような電子メールの一般的な技術内容は従来周知であるから詳細な説明は省略する。
【００３０】
そして、添付ファイルをマークアップ言語で記述すれば、上述したようにグラフ21だけでなく、操作入力を受け付けるための操作釦22〜28の表示から、操作釦22〜28の操作に対応した操作入力データの返信までの処理をウェブブラウザに行わせることができる。なお、このようなマークアップ言語としては、XML(Extensible Markup Language)やHTML(HyperText Markup Language)などが利用可能である。
【００３１】
上述のように本実施形態の計測装置１は、電力量や温度、湿度などの物理量を計測するセンサ部11と、センサ部11が計測した物理量の計測値をディジタルデータからなる計測値データに変換して処理する処理部10とを備える。また、本実施形態の計測装置１は、計測値データを蓄積するデータ蓄積部12と、通信媒体を介して監視端末２とデータ通信するデータ通信部13とを備える。処理部10は、データ蓄積部12に蓄積される計測値データを含む監視情報を、監視端末２に搭載されるウェブブラウザで表示可能なマークアップ言語により記述したファイルとして作成するように構成される。さらに、処理部10は、ファイルを添付した電子メールをデータ通信部13から監視端末２へ送信させるように構成される。ファイル(添付ファイル)は、ウェブブラウザに計測値データをグラフ化して表示させる手順と、ウェブブラウザに監視情報の表示内容の変更を受け付けさせる手順とを含んでいる。
【００３２】
本実施形態の計測装置１は上述のように構成されるので、監視情報の内容を監視端末を操作して変更できるため、監視情報の表示に関する使い勝手の向上を図ることができる。
【００３３】
ところで、処理部10は、電子メールを複数の監視端末２に送信する際、ウェブブラウザに計測値データをグラフ化して表示させる手順を複数の監視端末２毎に変更するように構成されることが好ましい。例えば、専門知識を有する管理者の監視端末２に対して、処理部10は、図２に示したようにグラフ21と操作釦22〜28を表示する監視情報ファイルを送信すれば良い。一方、専門知識を有しない電力需要家の監視端末２に対して、処理部10は、図３(ａ)に示すようにグラフ21のみを表示する監視情報ファイルを送信すれば良い。
【００３４】
また、処理部10は、計測値データが正常範囲であるときと、計測値データが正常範囲外であるときとで、ウェブブラウザに計測値データをグラフ化して表示させる手順を変更するように構成されることが好ましい。
【００３５】
例えば、使用電力量の計測値データを利用してデマンド監視が行われている場合、処理部10は、30分ごとに使用電力量の予測値を算出している。そして、予測値が電力会社との契約電力量(デマンド契約値)を超える虞がなければ、処理部10は、図２や図３(ａ)に示したグラフ21を表示させればよい。一方、予測値が契約電力量を超える虞があれば、処理部10は、図３(ｂ)に示すように現在までの使用電力量の計測値を実線とし、今後の予測値を破線としたグラフ21を表示させればよい。
【００３６】
あるいは、施設に設置されている太陽光発電システムの発電状況を監視する場合、処理部10は、複数のストリング(発電回路)毎にセンサ部11で計測した計測値(発電量)を比較して異常発生の有無を監視する。そして、発電量低下などの異常が生じていれば、正常なストリング全体の計測値の平均を白色の棒グラフとし、異常が生じているストリングの計測値を黒色の棒グラフとしたグラフ21を表示させれば良い(図３(ｃ)参照)。
【００３７】
図４のフローチャートを参照して、上述した処理部10の動作を説明する。処理部10は、監視情報の生成を開始すると、データ蓄積部12に蓄積されている計測値データに基づいて、異常発生の有無を判断する。そして、異常が発生していなければ、処理部10は、正常であることと、データ蓄積部12から読み出した計測値データとをテキストとして本文に記述する。そして、監視情報の送信先が管理者であれば、処理部10は、データ蓄積部12から読み出した計測値データを管理者向けにグラフ化するためのファイル(マークアップ言語で記述されたテキストファイル)を生成して添付する。一方、監視情報の送信先が利用者(管理者以外の者)であれば、処理部10は、データ蓄積部12から読み出した計測値データを利用者向けにグラフ化するためのファイル(マークアップ言語で記述されたテキストファイル)を生成して添付する。
【００３８】
また、異常が発生していた場合、処理部10は、発生している異常の内容と、データ蓄積部12から読み出した計測値データとをテキストとして本文に記述する。そして、処理部10は、データ蓄積部12から読み出した計測値データを管理者向けにグラフ化するためのファイル(マークアップ言語で記述されたテキストファイル)を生成して添付する。
【００３９】
最後に、処理部10は、ファイルを添付した電子メールをデータ通信部13より送信先の監視端末２へ送信させる。
【符号の説明】
【００４０】
１  計測装置
２  監視端末
10  処理部
11  センサ部
12  データ蓄積部
13  データ通信部
【図１】
2015022569.tif 000003
【図２】
2015022569.tif 000004
【図３】
2015022569.tif 000005
【図４】
2015022569.tif 000006